(57)【特許請求の範囲】
【請求項１】
合成装置からの放射性薬液を収容する第１容器と、
前記放射性薬液を希釈する希釈液を収容する第２容器と、
前記第１容器から前記放射性薬液を抽出すると共に前記第２容器から前記希釈液を抽出する前記放射性薬液の分注先としてのシリンジを、取外し可能に取付けるシリンジ取付部と、
前記シリンジ内に分注された前記放射性薬液の放射能量及び前記第１容器に収容された前記放射性薬液の放射能量の少なくともいずれかを測定するセンサと、
前記センサの検出値に基づいて、前記第１容器から必要な液量の前記放射性薬液を抽出し、前記第２容器から必要な液量の前記希釈液を抽出するように前記シリンジを駆動するシリンジ駆動装置と、
を備えることを特徴とする放射性薬液の分注装置。
【請求項２】
物体を格納する第１格納部を有する放射線遮蔽筐体を備え、
前記第１格納部に、前記第１容器、前記第２容器、前記シリンジ取付部、前記センサ、及び前記駆動装置が格納されていることを特徴とする請求項１に記載の放射性薬液の分注装置。
【請求項３】
前記第１容器から前記放射性液体を抽出して品質検定装置に分配する分配装置を備え、
前記分配装置は、前記第１格納部に格納されていることを特徴とする請求項２に記載の放射性薬液の分注装置。
【請求項４】
前記放射線遮蔽筐体は、前記合成装置を格納するための第２格納部を有し、
前記第１格納部の前記第１容器と、前記第２格納部の前記合成装置とを接続し、前記合成装置からの前記放射性薬液を前記第１容器に導く導入路を備えることを特徴とする請求項２又は３に記載の放射性薬液の分注装置。
【発明の詳細な説明】
【技術分野】
【０００１】
本発明は、放射性薬液の分注装置に関する。
【背景技術】
【０００２】
放射性核種（ＲＩ）で標識した化合物を含む放射性薬液を体内に投与し、この標識化合物が体内の特定箇所に集まった様子を専用の装置で撮像することによって、疾病等を診断する核医学診断法が開発されている。この診断法では、比較的短寿命の放射性核種（例えば、ポジトロン放出核種として、13Ｎは１０分、11Ｃは２０分、18Ｆは１１０分の半減期を持つ）で標識された、13Ｎ−アンモニアや11Ｃ−メチオニンや18Ｆ−ＦＤＧ（フルオロデオキシグルコース）等が放射性薬液として用いられる。
【０００３】
従来より、放射性薬液を被験者に投与するために、例えば特許文献１に開示された分注投与装置２０が用いられている。この分注投与装置２０により放射性薬液を投与する場合、まず合成装置で合成された放射性薬液をバイアルビン７０に分注し、このバイアルビン７０を合成装置から分注投与装置２０へ運搬して分注投与装置２０の放射線遮蔽容器７１にセットする。次に、バイアルビン７０から所定量の放射性薬液を薬液用シリンジ８２に分注する。そして、薬液用シリンジ８２内の薬液を押出すことで、取付針５２を介して被験者に投与する。
【特許文献１】特開２００２−３０６６０９号公報
【発明の開示】
【発明が解決しようとする課題】
【０００４】
しかしながら、上記した従来の手法では、合成装置からバイアルビンへ放射性薬液を分注し、このバイアルビンを分注投与装置へ運搬し、更に分注投与装置においてバイアルビンから薬液用シリンジに放射性薬液を分注する必要があるため、被験者に投与するまでに時間がかかっていた。従って、上記したように半減期が１０分である13Ｎや２０分である11Ｃで標識された放射性薬液を用いる場合は、放射能量が短時間に減衰してしまい無駄になっていた。また、従来の分注投与装置は比較的に重量があるため、所望位置への搬送が面倒で、取扱性が悪かった。
【０００５】
本発明は、上記した事情に鑑みてなされたものであり、放射性薬液の分注を短時間で効率的に行うことが可能であると共に、取扱性に優れた放射性薬液の分注装置を提供することを目的とする。
【課題を解決するための手段】
【０００６】
本発明に係る放射性薬液の分注装置は、合成装置からの放射性薬液を収容する第１容器と、放射性薬液を希釈する希釈液を収容する第２容器と、前記第１容器から前記放射性薬液を抽出すると共に前記第２容器から前記希釈液を抽出する放射性薬液の分注先としてのシリンジを取外し可能に取付けるシリンジ取付部と、シリンジ内に分注された放射性薬液の放射能量及び第１容器に収容された放射性薬液の放射能量の少なくともいずれかを測定するセンサと、センサの検出値に基づいて、第１容器から必要な液量の前記放射性薬液を抽出し、前記第２容器から必要な液量の前記希釈液を抽出するようにシリンジを駆動するシリンジ駆動装置と、を備えることを特徴とする。
【０００７】
この分注装置では、合成装置から第１容器に放射性薬液を導入し、センサにより放射能量を測定しながらシリンジに放射性薬液を直接分注し、このシリンジをシリンジ取付部から取外して被験者への投与に供することができる。従って、放射性薬液の分注を短時間で効率的に行うことが可能となる。また、被験者への投与の際に移動されるのはシリンジであるため、特に重量物を動かす必要がなくなり、取扱性の向上を図ることができる。
【０００８】
分注装置は、物体を格納する第１格納部を有する放射線遮蔽筐体を備え、第１格納部に、第１容器、第２容器、シリンジ取付部、センサ、及び駆動装置が格納されていると好ましい。このように、第１格納部に各部材を格納することで、分注装置のコンパクト化と放射線の漏洩防止を図ることができる。
【０００９】
分注装置は、第１容器から放射性液体を抽出して品質検定装置に分配する分配装置を備え、分配装置は、第１格納部に格納されていると好ましい。このように、第１格納部に分配装置をも格納することで、分注装置の更なるコンパクト化を図ることができる。
【００１０】
放射線遮蔽筐体は、合成装置を格納するための第２格納部を有すると好ましい。分注装置は、第１格納部の第１容器と、第２格納部の合成装置とを接続し、合成装置からの放射性薬液を第１容器に導く導入路を備えると好ましい。このようにすれば、合成装置から導入路を介して第１容器に放射性薬液を直接導入して、分注作業の効率化が一層図られる。
【発明の効果】
【００１１】
本発明によれば、放射性薬液の分注を短時間で効率的に行うことが可能であると共に、取扱性に優れた放射性薬液の分注装置を提供することができる。
【発明を実施するための最良の形態】
【００１２】
以下、図面を参照しながら本発明の実施形態を説明する。なお、以下の説明においては、同一の要素には同一の符号を用いることとし、重複する説明は省略する。
【００１３】
図１は、本実施形態に係る放射性薬液の合成分注装置の構成を模式的に示す正面図である。なお、図１（ａ）は扉を閉めた外観構成を示し、図１（ｂ）は扉を外した内部構成を示している。
【００１４】
図１に示すように、合成分注装置１０は、放射性薬液としての13Ｎ−アンモニアを合成する合成装置１２と、合成された13Ｎ−アンモニアをシリンジに分注する分注装置１４とを備えている。
【００１５】
分注装置１４は、図１及び図２に示すように、原液バイアル（第１容器）１６と、生食バイアル（第２容器）１８と、シリンジ取付部２０と、センサ２２と、シリンジ駆動装置２４と、分配装置２６と、放射線シールド（放射線遮蔽筐体）２８と、導入路３０と、を備えている。原液バイアル１６は、合成装置１２からの13Ｎ−アンモニアを収容する。この原液バイアル１６は、図２に示すように、上部から13Ｎ−アンモニアを導入可能であると共に、下部から13Ｎ−アンモニアを抽出可能である両口バイアルである。原液バイアル１６の上方には、撮像装置３２が設けられており、液面を監視できるようになっている。生食バイアル１８は、13Ｎ−アンモニアを希釈する希釈液としての生理食塩水を収容する。
【００１６】
これら原液バイアル１６及び生食バイアル１８は、取り出し口を下方にした状態で、Ｙステージ３４上に搭載されている。そして、このＹステージ３４がＸステージ３６上に搭載されている。Ｘステージ３６は、ベース３８上に搭載されている。Ｙステージ３４の下方には、Ｙ方向に延びるライナ４０が設けられている。一方で、Ｘステージ３６上には、Ｙ方向に延びるレール４２が設けられている。これらライナ４０とレール４２とが摺動自在に嵌合されており、Ｙ軸モータ４４の駆動により、Ｙステージ３４がＹ方向に移動可能になっている。また、Ｘステージ３６の下方には、Ｘ方向に延びるライナ４６が設けられている。一方で、ベース３８上には、Ｘ方向に延びるレール４８が設けられている。これらライナ４６とレール４８とが摺動自在に嵌合されており、Ｘ軸モータ５０の駆動により、Ｘステージ３６がＸ方向に移動可能になっている。
【００１７】
シリンジ取付部２０は、ベース３８の下方に設けられている。このシリンジ取付部２０は、13Ｎ−アンモニアの分注先としてのシリンジ５２を取外し可能に取付ける。シリンジ５２は、図２及び図３に示すように、把持部５４と固定部５６とを有する操作ハンドル５８に固定される。把持部５４は、断面略コ字状の取っ手を有し、上部側面に固定部５６が設けられている。固定部５６は、略円筒状の放射線遮蔽体からなり、内部にシリンジ５２を通して固定するようになっている。固定部５６の一部は軸方向に切欠かれており、その部分は鉛ガラスにより封止されて図示しない窓部が設けられている。これにより、窓部を通して放射線の一部の抜けが許容され、センサ２２による放射能量の測定が可能となっている。このように、シリンジ５２は操作ハンドル５８に固定されるものであるため、シリンジ取付部２０はこの操作ハンドル５８を搭載する略Ｌ字状の台座６０を有している。この台座６０の上部側面には、シリンジ５２が固定された操作ハンドル５８の受け入れを検知するための検知センサ６２が設けられている。
【００１８】
センサ２２は、図２においてシリンジ５２の背部に設けられており、シリンジ５２内に分注された13Ｎ−アンモニアの放射能量を測定する。シリンジ駆動装置２４は、センサ２２の検出値に基づいて、原液バイアル１６及び生食バイアル１８から必要な液量を抽出するように、制御装置６４により制御されてシリンジ５２を駆動する。シリンジ駆動装置２４は、台座６０自体をＺ方向に変位させることが可能であると共に、シリンジ５２のピストン５２ａを台座６０とは独立してＺ方向に変位させることが可能である。
【００１９】
分配装置２６は、図１に示すように、原液バイアル１６から13Ｎ−アンモニアの一部を抽出して図示しない品質検定装置に分配する。この分配装置２６は、５連の三方活栓６６と、分配用シリンジ６８とを有している。この分配用シリンジ６８により原液バイアル１６から所定量の13Ｎ−アンモニアを抽出し、５連の三方活栓６４を所望に切り替えて抽出した薬液を分配用シリンジ６８から押出すことで、品質検定装置へ13Ｎ−アンモニアのサンプルが送られる。品質検定装置は、放射性薬液としての13Ｎ−アンモニアの品質を検定する装置であり、ｐＨ試験、純度試験などを行う。
【００２０】
放射線シールド２８は、鉛などの放射線遮蔽媒体から形成された外形が略直方体状の筐体であり、下段に設けられた第１格納部２８ａと上段に設けられた第２格納部２８ｂとを有している。第１及び第２格納部２８ａ，２８ｂは、それぞれ独立に開閉可能な扉２９ａ，２９ｂを有しており、第１格納部２８ａの扉２９ａには、さらにシリンジ５２を固定した操作ハンドル５８の取付け及び取り外しを行うための小扉７０が設けられている。そして、第１格納部２８ａに、上記した分注装置１４が格納されている。また第２格納部２８ｂに、合成装置１２が格納されている。合成装置１２が格納された第２格納部２８ｂには、室内を清浄に保つためのフィルタ７２が設けられている。
【００２１】
導入路３０は、第１格納部２８ａの原液バイアル１６と、第２格納部２８ｂの合成装置１２とを接続し、合成装置１２からの13Ｎ−アンモニアを原液バイアル１６に直接導く。この導入路３０は、例えばシリコーンチューブなどから構成されている。
【００２２】
次に、上記した合成分注装置１０を用いた13Ｎ−アンモニアの合成分注方法について説明する。
【００２３】
まず、合成装置１２と原液バイアル１６とを導入路３０で接続すると共に、分配装置２６の三方活栓６４と原液バイアル１６とをチューブ７４で接続する。また、分配装置２６の三方活栓６４と図示しない品質検定装置とをチューブ７６で接続する。そして、分注装置１４のシリンジ取付部２０に、シリンジ５２を固定した操作ハンドル５８を取付ける。
【００２４】
次に、合成装置１２において13Ｎ−アンモニアを合成し、これを導入路３０を介して原液バイアル１６に導入する。そして、分配装置２６により13Ｎ−アンモニアの一部を抽出し、図示しない品質検定装置に送出する。
【００２５】
一方、第１格納部２８ａ内では、シリンジ駆動装置２４により台座６０をＺ方向に上昇させて、原液バイアル１６内にシリンジ５２の針を突き刺す。なお、原液バイアル１６は、Ｘ軸モータ５０及びＹ軸モータ４４により、予め所望位置に位置決めされているが、針が原液バイアル１６の中央を突き刺すように、Ｙステージ３４の下面に設けられたＸＹセンサ７８により、ＸＹ方向の微細な位置決めを行う。なお、Ｚ方向の位置決めは、ベース３８下面に設けられたＺセンサ８０により行う。
【００２６】
そして、シリンジ駆動装置２４によりシリンジ５２のピストン５２ａを引き出し、原液バイアル１６から、所定量の13Ｎ−アンモニアを分注する。このとき、センサ２２により13Ｎ−アンモニアの放射能量を測定し、センサ２２の検出値に基づいて、原液バイアル１６から必要な液量を正確に抽出する。次に、シリンジ駆動装置２４により台座６０を降下させて原液バイアル１６からシリンジ５２の針を抜き出し、Ｘステージ３６をＸ方向に移動させて生食バイアル１８をシリンジ５２の直上に位置させる。
【００２７】
次に、再びシリンジ駆動装置２４により台座６０をＺ方向に上昇させて、生食バイアル１８内にシリンジ５２の針を突き刺す。次に、シリンジ駆動装置２４によりシリンジ５２のピストン５２ａを引き出し、生食バイアル１８から所定量の生理食塩水を抜き出して、シリンジ５２内で13Ｎ−アンモニアを所定の濃度に希釈する。次に、シリンジ駆動装置２４により台座６０を降下させて生食バイアル１８からシリンジ５２の針を抜き出す。
【００２８】
そして、第１格納部２８ａの小扉７０を開き、分注装置１４のシリンジ取付部２０からシリンジ５２を固定した操作ハンドル５８を取り外し、被験者への投与に供する。
【００２９】
以上詳述したように、本実施形態に係る合成分注装置１０では、合成装置１２から原液バイアル１６に13Ｎ−アンモニアを直接導入し、センサ２２により放射能量を測定しながらシリンジ５２に13Ｎ−アンモニアを直接分注し、このシリンジ５２をシリンジ取付部２０から取外して被験者への投与に供することができる。従って、13Ｎ−アンモニアの分注を短時間で効率的に行うことが可能となる。また、被験者への投与の際に移動されるのはシリンジ５２であるため、特に重量物を動かす必要がなくなり、取扱性の向上を図ることができる。
【００３０】
また分注装置１４は、放射線シールド２８の第１格納部２８ａに格納されているため、分注装置１４のコンパクト化と放射線の漏洩防止を図ることができる。また、第１格納部２８ａに分配装置２６も格納されているため、分注装置１４の更なるコンパクト化を図ることができる。
【００３１】
また放射線シールド２８の第２格納部２８ｂに合成装置１２が格納されているため、合成分注装置１０のコンパクト化を図ることができる。そして、第１格納部２８ａの原液バイアル１６と、第２格納部２８ｂの合成装置１２とは導入路３０により接続されているため、合成装置１２から導入路３０を介して原液バイアル１６に13Ｎ−アンモニアを直接導入することで、分注作業の効率化を一層図ることができる。
【００３２】
なお、本発明は上記した実施形態に限定されることなく、種々の変形が可能である。例えば、上記した実施形態では、放射性薬液として13Ｎ−アンモニアを合成分注する場合について説明したが、放射性薬液は11Ｃ−メチオニンであってもよい。この場合の装置構成としては、図４に示すように、ヨウ化メチル合成装置８０が新たに追加される。なお、放射線シールド２８の第２格納部２８ｂを４分割し、４つの箱にそれぞれメチオニン合成装置１２を格納して、連続したメチオニンの合成を行うようにしてもよい。各箱へのヨウ化メチルの分配は、分配器８２を通して行う。そして、第１格納部２８ａには５連の三方活栓連続体８４を設け、この三方活栓連続体８４を通して原液バイアル１６に11Ｃ−メチオニンを導入する。
【００３３】
また、放射性薬液としては、特に半減期が短い13Ｎや11Ｃで標識された13Ｎ−アンモニアや11Ｃ−メチオニンに限定されることなく、本発明は、例えばより半減期の長い18Ｆ−ＦＤＧ（フルオロデオキシグルコース）を合成分注する場合にも適用可能である。
【００３４】
またセンサ２２は、原液バイアル１６に収容された放射性薬液の放射能量を測定するようにしてもよい。このようにすれば、原液バイアル１６内の放射能量の減少具合から、シリンジ５２内に分注された放射性薬液の放射能量を検知することができる。またセンサ２２は、シリンジ５２及び原液バイアル１６に収容された放射性薬液の双方の放射能量を測定するようにしてもよい。このようにすれば、シリンジ５２内に分注された放射性薬液の放射能量をより高精度に検知することができる。
【図面の簡単な説明】
【００３５】
【図１】13Ｎ−アンモニアの合成分注装置を模式的に示す正面図である。
【図２】分注装置の要部構成を示す図である。
【図３】シリンジを固定した操作ハンドルを示す正面図である。
【図４】11Ｃ−メチオニンの合成分注装置を模式的に示す正面図である。
【符号の説明】
【００３６】
１０…合成分注装置、１２…合成装置、１４…分注装置、１６…原液バイアル、１８…生食バイアル、２０…シリンジ取付部、２２…センサ、２４…シリンジ駆動装置、２６…分配装置、２８…放射線シールド、２８ａ…第１格納部、２８ｂ…第２格納部、３０…導入路、５２…シリンジ。
【図１】
0004750539.tif 000002
【図２】
0004750539.tif 000003
【図３】
0004750539.tif 000004
【図４】
0004750539.tif 000005